(57)【要約】【課題】映像に応じてバックライト駆動電流を変化させたときの表示品位を向上させること。【解決手段】表示装置は、映像を表示する表示部と、表示部を照明する光源部と、表示部に表示させる映像の映像信号が入力される入力部と、入力部に入力された映像信号に応じて、光源部を駆動する駆動電流を設定し、駆動電流に応じて映像信号に対するホワイトバランスを制御する制御部と、を備える。【選択図】図１
2019211717.tif 000002
【特許請求の範囲】
【請求項１】
映像を表示する表示部と、
前記表示部を照明する光源部と、
前記表示部に表示させる映像の映像信号が入力される入力部と、
前記入力部に入力された前記映像信号に応じて、前記光源部を駆動する駆動電流を設定し、前記駆動電流に応じて前記映像信号に対するホワイトバランスを制御する制御部と、
を備える表示装置。
【請求項２】
前記制御部は、
前記表示部の画面を複数の領域に分割した領域ごとに、各領域に対応する前記映像信号に応じて、前記光源部を駆動する駆動電流と前記映像信号に対するホワイトバランスとを制御する、
請求項１に記載の表示装置。
【請求項３】
前記制御部は、
前記光源部を駆動する駆動電流の制御を予め設定された第１の制御と、前記第１の制御よりも前記光源部が発光する輝度が高い第２の制御とを切替え可能であり、
前記光源部を駆動する駆動電流を前記第１の制御とした場合には予め設定されたホワイトバランス調整値に基づいて前記映像信号に対するホワイトバランスを制御し、
前記光源部を駆動する駆動電流を前記第２の制御とした場合には予め設定されたホワイトバランス調整値を補正した値に基づいて前記映像信号に対するホワイトバランスを制御する、
請求項１または請求項２に記載の表示装置。
【請求項４】
前記制御部は、
予め設定されたホワイトバランス調整値を補正した値に基づいて前記映像信号に対するホワイトバランスを制御する場合、予め設定された階調以上の前記映像信号に対して補正する、
請求項１から請求項３のいずれか一項に記載の表示装置。
【請求項５】
前記制御部は、
前記映像信号の階調値に基づいて、前記光源部を駆動する駆動電流と前記映像信号に対するホワイトバランスとを制御する、
請求項１から請求項４のいずれか一項に記載の表示装置。
【請求項６】
前記制御部は、
前記映像信号の階調値の分布に基づいて、前記光源部を駆動する駆動電流と前記映像信号に対するホワイトバランスとを制御する、
請求項５に記載の表示装置。
【請求項７】
請求項６に記載の表示装置、を備えたテレビジョン。
【請求項８】
映像を表示する表示部と、前記表示部を照明する光源部とを備える表示装置における表示方法であって、
前記表示部に表示させる映像の映像信号が入力部に入力されるステップと、
前記入力部に入力された前記映像信号に応じて、前記光源部を駆動する駆動電流を設定し、前記駆動電流に応じて前記映像信号に対するホワイトバランスを制御するステップと、
を有する表示方法。
【発明の詳細な説明】
【技術分野】
【０００１】
本発明は、表示装置、テレビジョン、及び表示方法に関する。
【背景技術】
【０００２】
バックライトを備えた液晶表示装置に、ＨＤＲ（Ｈｉｇｈ  Ｄｙｎａｍｉｃ  Ｒａｎｇｅ）の映像を表示させる場合やＳＤＲ（Ｓｔａｎｄａｒｄ  Ｄｙｎａｍｉｃ  Ｒａｇｅ）の映像を疑似的にＨＤＲのように表示させる場合に、表示画面を複数の領域に分割して、暗部の領域のバックライト輝度を下げ、明部の領域のバックライト輝度を上げることで、消費電力を抑制しつつ表示コントラストを高める技術がある（例えば、特許文献１参照）。
【先行技術文献】
【特許文献】
【０００３】
【特許文献１】特開２０１４−１０２０４号公報
【発明の概要】
【発明が解決しようとする課題】
【０００４】
しかしながら、上述したように映像に応じてバックライト輝度を制御する場合、バックライト輝度を上げた領域ではバックライト駆動電流（例えば、ＬＥＤ駆動電流）が通常より増加することになるため、この電流の増加分に応じてバックライト（例えば、ＬＥＤ）の発光色（色味）が変化することがある。例えば、白色を表示させた場合に色味が青色方向にずれて見えてしまい、表示品位が低下することがある。
【０００５】
本発明は上記の点に鑑みてなされたものであり、映像に応じてバックライト駆動電流を変化させたときの表示品位を向上させる表示装置、テレビジョン、及び表示方法を提供することを課題とする。
【課題を解決するための手段】
【０００６】
本発明は上記の課題を解決するためになされたものであり、本発明の一態様は、映像を表示する表示部と、前記表示部を照明する光源部と、前記表示部に表示させる映像の映像信号が入力される入力部と、前記入力部に入力された前記映像信号に応じて、前記光源部を駆動する駆動電流を設定し、前記駆動電流に応じて前記映像信号に対するホワイトバランスを制御する制御部と、を備える表示装置である。
【０００７】
また、本発明の一態様は、上記の表示装置、を備えたテレビジョンである。
【０００８】
また、本発明の一態様は、映像を表示する表示部と、前記表示部を照明する光源部とを備える表示装置における表示方法であって、前記表示部に表示させる映像の映像信号が入力部に入力されるステップと、前記入力部に入力された前記映像信号に応じて、前記光源部を駆動する駆動電流を設定し、前記駆動電流に応じて前記映像信号に対するホワイトバランスを制御するステップと、を有する表示方法である。
【発明の効果】
【０００９】
本発明によれば、映像に応じてバックライト駆動電流を変化させたときの表示品位を向上させることができる。
【図面の簡単な説明】
【００１０】
【図１】実施形態に係る表示装置１の構成の一例を示すブロック図。
【図２】バックライトの最大輝度の設定例を示す図。
【図３】標準のＷＢ調整値の一例を示す図。
【図４】図３に示す標準のＷＢ調整に対するオフセット値の一例を示す図。
【図５】オフセット適用前の色度の測定結果のデータ値を示す図。
【図６】図５に示すデータ値を色度図（色温度図）上に表した図。
【図７】オフセット適用後の色度の測定結果のデータ値を示す図。
【図８】図７に示すデータ値を色度図（色温度図）上に表した図。
【図９】測定に用いたウィンドウ画像の一例を示す図。
【図１０】実施形態に係るバックライト駆動電流及びＷＢ調整制御処理の一例を示すフローチャート。
【発明を実施するための形態】
【００１１】
以下、図面を参照して、本発明の実施形態について説明する。
【００１２】
液晶テレビなどの表示装置のバックライトの光源として使用されているＬＥＤ（Ｌｉｇｈｔ  Ｅｍｉｔｔｉｎｇ  Ｄｉｏｄｅ）は、青色ＬＥＤと蛍光体の組み合わせで白色ＬＥＤとしているものがあり、例えば、通常の表示モードでは、輝度（発光輝度）が４００〜４５０ｃｄ／ｍ２で色温度が１２０００Ｋ／９３００Ｋ／６５００Ｋなどで表示できるような設計値となっている。これに対し、ＨＤＲの映像を表示させる場合やＳＤＲの映像を疑似的にＨＤＲのように表示させる場合、表示画面を複数の領域に分割して、暗部の領域のバックライト輝度を下げ、明部の領域のバックライト輝度を上げることで、高コントラスト表示させる（以下、高コントラスト表示モードという）ローカルディミング処理が行われる。例えば、高コントラスト表示モードでは、上記設計値の２倍以上の高輝度となる１０００ｃｄ／ｍ２に達する電流（バックライト駆動電流）をＬＥＤに流すことがある。この場合、バックライト駆動電流の増加により色温度（色味）が設計値に対して青色方向にシフトする現象が発生する。なお、この現象は、特に中間階調より上の階調で顕著となる。
【００１３】
そこで、本実施形態では、高コントラスト表示モードにおいて、映像信号のＷＢ（ホワイトバランス）調整のオフセットテーブルを設け、バックライト駆動電流を高輝度に制御したときのＷＢ調整値を、標準のＷＢ調整値からオフセットさせる。これにより、バックライト駆動電流の変化にともなってＬＥＤの色味が変化したとしても、表示される映像の色味の変化を抑制することができる。以下、本実施形態に係る表示装置の構成について、詳しく説明する。
【００１４】
図１は、本実施形態に係る表示装置１の構成の一例を示すブロック図である。表示装置１は、ＨＤＲやＳＤＲの映像信号が入力されることにより、当該映像信号に対して各種の信号処理を行い、信号処理後の映像を表示する。例えば、表示装置１は、放送波を介して入力される映像信号やＨＤＭＩ（Ｈｉｇｈ Ｄｅｆｉｎｉｔｉｏｎ Ｍｕｌｔｉｍｅｄｉａ Ｉｎｔｅｒｆａｃｅ、登録商標）端子などの入力端子から入力される映像信号を表示するテレビジョンである。なお、表示装置１は、テレビジョン放送の入力には対応していなくてもよく、ＨＤＭＩ（登録商標）端子などの入力端子を介して入力される映像信号のみを表示する表示装置（例えば、ＰＣ（Ｐｅｒｓｏｎａｌ Ｃｏｍｐｕｔｅｒ）用のモニターや映像評価用のマスターモニターなど）であってもよい。また、これらの表示装置は、多機能携帯電話機（いわゆる、スマートフォンを含む）、表示装置と一体として構成されたＰＣ（デスクトップ型ＰＣ、ラップトップ型ＰＣ、タブレット型ＰＣなどを含む）などであってもよい。なお、入力端子には、コンポジット映像端子、セパレート映像端子（Ｓ端子）、コンポーネント映像端子、Ｄ映像端子（Ｄ端子）などが含まれていてもよい。
【００１５】
例えば、表示装置１は、信号処理部１０と、タイミングコントローラ部２１と、ＬＥＤドライバ２２と、制御部２３と、表示部３１と、バックライト３２とを備えている。信号処理部１０は、入力部１１と、マトリックス部１２と、ＮＲ部１３と、ＩＰ変換部１４と、スケーラー部１５と、シャープネス部１６と、ＭＥＭＣ部１７と、マトリックス部１８と、ガンマ／ＷＢ調整部１９とを備えている。
【００１６】
入力部１１は、映像信号が入力される入力端子を含んで構成されている。入力端子は、ＨＤＭＩ（登録商標）端子、コンポジット映像端子、セパレート映像端子（Ｓ端子）、コンポーネント映像端子、Ｄ映像端子（Ｄ端子）などである。また、入力端子は、アンテナで受信されたテレビジョン放送の受信信号が入力される入力端子でもよく、入力部１１にはチューナー（不図示）で選択された映像信号が入力されてもよい。入力部１１は、入力された映像信号から表示する映像信号（例えば、入力切替の設定により選択されている映像信号）を選択してマトリックス部１２へ出力する。
【００１７】
マトリックス部１２は、入力部１１から出力された映像信号をＲＧＢ信号からＹＰＢＰＲ信号に変換してＮＲ部１３へ出力する。ＮＲ部１３は、マトリックス部１２でＹＰＢＰＲ信号に変換された映像信号に対してノイズリダクション（ＮＲ）処理を行いＩＰ変換部１４へ出力する。ＩＰ変換部１４は、ノイズリダクション処理後の映像信号に対して、インターレスからプログレッシブ変換を行いスケーラー部１５へ出力する。スケーラー部１５は、ＩＰ変換部１４でプログレッシブ変換された映像信号を表示部３１で表示させる表示サイズにスケリーングする処理を行いシャープネス部１６へ出力する。
【００１８】
シャープネス部１６は、スケーラー部１５でスケリーングされた映像信号に対して画質補正（輪郭強調）を行いＭＥＭＣ部１７へ出力する。ＭＥＭＣ部１７は、シャープネス部１６で画質補正された映像信号に対して、ＭＥＭＣ（Ｍｏｔｉｏｎ  Ｅｓｔｉｍａｔｉｏｎ  Ｍｏｔｉｏｎ  Ｃｏｍ−ｐｅｎｓａｔｉｏｎ）に基づくフレーム周波数変換（６０Ｈｚから１２０Ｈｚ）を行いマトリックス部１８へ出力する。マトリックス部１８は、ＭＥＭＣ部１７でフレーム周波数変換された映像信号をＹＰＢＰＲ信号からＲＧＢ信号に変換してガンマ／ＷＢ調整部１９へ出力する。
【００１９】
ガンマ／ＷＢ調整部１９は、ＭＥＭＣ部１７でＲＧＢ信号に変換された映像信号（ＲＧＢ信号）に対して、制御部２３の制御に基づいてガンマ及びＷＢ調整を行う。具体的には、ガンマ／ＷＢ調整部１９は、制御部２３の制御に基づいて、表示部３１に適したガンマ（例えば、ガンマ２．２）に映像信号（ＲＧＢ信号）を設定するとともに、Ｒ信号／Ｇ信号／Ｂ信号のそれぞれに対して各色温度（例えば、１２０００Ｋ／１０５００Ｋ／９３００Ｋ／８０００Ｋ／６５００Ｋ）ごとに適したＷＢに調整する。そして、ガンマ／ＷＢ調整部１９は、調整後の映像信号をタイミングコントローラ部２１へ出力する。タイミングコントローラ部２１は、ガンマ／ＷＢ調整部１９でガンマ及びＷＢ調整された映像信号を表示部３１で表示可能な信号に変換して表示部３１へ出力する。
【００２０】
表示部３１とバックライト３２とは、一体となって構成され、例えばＬＣＤモニター３０として構成されている。表示部３１は、例えば、透過型の液晶ディスプレイ（ＬＣＤ：Ｌｉｑｕｉｄ  Ｃｒｙｓｔａｌ  Ｄｉｓｐｌａｙ）パネルである。表示部３１は、タイミングコントローラ部２１で変換された映像信号に基づいて、表示画面に設けられたＲ／Ｇ／Ｂの各画像を映像信号に応じた透過率に制御する。バックライト３２は、表示部３１の背面に設けられ、ＬＥＤを用いて表示部３１の表示画面に対して背面から光を照射可能な光源部である。そして、バックライト３２から表示部３１の背面に対して照射される光が表示部３１の各画像の透過率に応じた光の量だけ通過することにより階調及び色が再現され映像として視認可能となる。
【００２１】
また、バックライト３２は、表示部３１の表示画面を複数に分割した領域ごとに輝度の制御が可能なように、当該分割された領域ごとに対応するＬＥＤが設けられている。ＬＥＤドライバ２２は、制御部２３の制御に基づいてバックライト駆動電流をＬＥＤに流す。例えば、ＬＥＤドライバ２２は、分割された領域ごとに対応するＬＥＤのそれぞれに対して流す電流を、制御部２３により設定されたバックライト駆動電流の設定値に基づいて制御する。なお、バックライト駆動電流の制御方法は、ＰＷＭ（Ｐｕｌｓｅ Ｗｉｄｔｈ Ｍｏｄｕｌａｔｉｏｎ）制御によるものであってもよいし、電流値を制御する方法であってもよいし、それらの組み合わせであってもよい。
【００２２】
制御部２３は、バックライト３２を駆動するバックライト駆動電流を制御するとともに、映像信号に対するガンマ及びＷＢ調整を制御する。例えば、制御部２３は、通常の表示モードでは、バックライト３２を駆動するバックライト駆動電流の制御を予め設定された駆動電流（例えば、バックライト輝度４５０ｃｄ／ｍ２（通常輝度）になるような駆動電流）に設定する。また、制御部２３は、高コントラスト表示モードでは、映像信号に応じて、バックライト３２を駆動するバックライト駆動電流を設定する。例えば、制御部２３は、バックライト３２を駆動するバックライト駆動電流の制御を、予め設定された駆動電流にする通常輝度制御（第１の制御）と、当該通常輝度制御よりもバックライト３２の発光輝度が高い高輝度制御（第２の制御）とを切替える。また、制御部２３は、バックライト３２を駆動するバックライト駆動電流の制御を、予め設定された通常の表示モードにおける駆動電流にする通常輝度制御と、当該通常輝度制御よりもバックライト３２の発光輝度が低い低輝度制御（第３の制御）とを切替えてもよい。
【００２３】
例えば、制御部２３は、ＭＥＭＣ部１７でフレーム周波数変換された映像信号を解析し、ローカルディミング処理を実行する。具体的には、制御部２３は、表示画面を複数に分割した各領域に表示される映像の階調値に基づいて、分割された領域ごとに対応するＬＥＤへ流す電流（バックライト駆動電流）を設定してＬＥＤドライバ２２へ出力する。これにより、制御部２３は、領域ごとに対応するＬＥＤの輝度（バックライト輝度）を制御する。
【００２４】
例えば、制御部２３は、分割された領域のうち、階調値が低い領域ではバックライトの輝度を低下させ、階調値が高い領域ではバックライトの輝度を上昇させる。ここで、領域ごとの階調値は、領域ごとの階調の平均値としてもよいし、最大値としてもよいし、平均値又は最大値に基づく値としてもよい。例えば、映像の階調値を０〜２５５の８ビットデータで表した場合、制御部２３は、バックライト輝度を、階調値０の領域では０ｃｄ／ｍ２（消灯）、階調値２５５の領域では最大値（最大輝度、例えば１０００ｃｄ／ｍ２）に制御する。
【００２５】
また、制御部２３は、映像信号の階調の分布に基づいてバックライト駆動電流を制御してもよい。例えば、バックライト輝度の最大値（最大輝度）は、表示画面全体の領域に対する階調値が高い領域の割合に基づいて定められてもよい。図２は、バックライトの最大輝度の設定例を示す図である。この図において、横軸は階調値が高い領域の割合を示し、縦軸がバックライト輝度の最大値（最大輝度）を示している。
【００２６】
この図では、階調値が０の黒領域の中に階調値が２５５の白領域（ウィンドウ領域）があるウィンドウ画像を表示させた場合に、ウィンドウ領域の大きさを変化させたときのバックライト輝度の最大値（最大輝度）の変化を示している。ウィンドウ領域の割合が、階調値が高い領域の割合に相当する。また、ウィンドウ領域の割合が１００％のときは全白の表示となり、ウィンドウ領域の割合が０％のときは全黒の表示となる。図示するように、バックライトの最大輝度は、ウィンドウ領域の割合が０％（全黒）のときに０ｃｄ／ｍ２（消灯）であり、ウィンドウ領域の割合が増加するにしたがって上昇し、ウィンドウ領域の割合がＸ％（例えば、１０％）のときに最も高い値（例えば、１０００ｃｄ／ｍ２）となる。さらに、ウィンドウ領域の割合が増加すると徐々にバックライトの最大輝度は低下し、ウィンドウ領域の割合が１００％（全白）のときには、高コントラスト表示ではない通常の表示と同等の輝度（例えば、４５０ｃｄ／ｍ２）となる。
【００２７】
このように、制御部２３は、全体的に暗く、且つ一部の領域に高階調のピークがあるような映像のときに、バックライトの最大輝度が最も高い輝度（例えば、１０００ｃｄ／ｍ２）になるように制御する。また、全体的に明るい映像では、バックライト輝度を過度に高くすると、まぶしく感じることがあるため、高階調の領域であってもバックライト輝度の上昇を抑制する。即ち、ローカルディミング処理では、表示画面の分割された領域ごとに映像信号の階調に応じて常に異なるバックライト輝度に制御されるわけではなく、映像信号によっては、表示画面全体の領域が同じバックライト輝度に制御されることもある。
【００２８】
また、制御部２３は、設定したバックライト輝度に基づいて、ＷＢ調整値をガンマ／ＷＢ調整部１９に設定することにより、映像信号に対するＷＢを制御する。例えば、制御部２３は、バックライト駆動電流を通常輝度制御（第１の制御）とした場合には予め設定された標準のＷＢ調整値に基づいて映像信号に対するＷＢを制御する。一方、制御部２３は、バックライト駆動電流を高輝度制御（第２の制御）とした場合には予め設定された標準のＷＢ調整値を補正した値に基づいて映像信号に対するＷＢを制御する。これにより、バックライト駆動電流を高輝度にしたときの色温度のずれを補正することができる。
【００２９】
例えば、制御部２３は、バックライト駆動電流を高輝度にした場合、映像信号の階調値に応じてＷＢ調整値を補正することにより、映像信号に対するＷＢを制御する。図３は、標準のＷＢ調整値の一例を示す図である。図示する例は、バックライト駆動電流を通常輝度（例えば、４５０ｃｄ／ｍ２）に制御したときに色温度が６５００ＫになるようなＷＢ調整値（標準のＷＢ調整値）の一例を示している。例えば、表示画面全体の領域が白（２５５階調）の全白画像を表示部３１に表示させて、色温度が６５００Ｋになるように調整した値の一例である。ここでは、６４、１２８、１９２、２５５の４つの階調について、それぞれのＷＢ調整値（Ｒ、Ｇ、Ｂの表示階調値）を示している。例えば、この４つの階調以外の階調は、ガンマ設定（例えば、ガンマ２．２）に応じて計算される。なお、ＷＢ調整値は、４つの階調に限らず、５つ以上の階調に設定されてもよいし、すべての階調（０〜２５５）に設定されてもよい。
【００３０】
一方、図４は、図３に示す標準のＷＢ調整に対するオフセット値（オフセットテーブル）の一例を示す図である。この図に示すオフセット値は、標準のＷＢ調整値からのオフセット値であって、バックライト駆動電流を高輝度（例えば、１０００ｃｄ／ｍ２）に制御したときの色温度のずれを補正するための値である。具体的には、青色方向へのシフトを打ち消すようなオフセット値（主にＢ信号にマイナスのオフセット値）が設定される。例えば、図示するように、６４及び１２８階調についてはオフセットなしの値が設定されており、１９２及び２５５階調についてはオフセットありの値が設定されている。これは、バックライト駆動電流の増加により色温度（色味）が設計値に対して青色方向にシフトする現象が、特に中間階調より上の階調で顕著となるためである。そのため、制御部２３は、予め設定された階調以上の映像信号に対して標準のＷＢ調整値からオフセット補正する。このオフセット値の分を図３に示す標準のＷＢ調整値からオフセットさせることで、バックライト駆動電流を高輝度（例えば、１０００ｃｄ／ｍ２）に制御したときに、色温度が６５００Ｋから青色方向へシフトしてしまうことを抑制することができる。
【００３１】
なお、オフセット値は、例えば実際にバックライト駆動電流を高輝度（例えば、１０００ｃｄ／ｍ２）に制御したときの色温度を予め測定し、測定値が６５００ＫになるようにＷＢ調整した結果と標準のＷＢ調整値との差分に基づいて、Ｒ／Ｇ／Ｂそれぞれについて予め設定される。青色方向へのシフトを打ち消すようなオフセット値であるため、主にＢ信号にマイナスのオフセット値が設定されるが、実際には赤色成分又は緑色成分についても若干シフトすることがあるため、Ｒ信号又はＧ信号についてもオフセット値が設定されてもよい。例えば、図４に示す例では、Ｒ信号に若干のプラスのオフセット値が設定されている。
【００３２】
ここで、図５〜８を参照して、ＷＢ調整のオフセットによる効果の一例を説明する。バックライト駆動電流を高輝度に制御したときに、標準のＷＢ調整値（オフセット適用前）での色度の測定結果を図５及び図６に示しており、標準のＷＢ調整値にオフセットを適用したとき（オフセット適用後）の色度の測定結果を図７及び図８に示している。
【００３３】
測定方法としては、図９に示すような表示画面全体の領域Ｗ１に対して１０分の１のウィンドウ領域Ｗ２が中央に設定されたウィンドウ画像を表示部３１に表示させ、ウィンドウ領域Ｗ２の階調（入力階調）を０から２５５へ変化させながらウィンドウ領域Ｗ２の色度（及び輝度）を測定した。領域Ｗ１のうちウィンドウ領域Ｗ２以外の領域は黒（０階調）である。測定器は、ＴＯＰＣＯＮ製分光放射計ＳＲ―３Ａを使用した。
【００３４】
図５は、バックライト駆動電流を高輝度に制御したときに、標準のＷＢ調整値（オフセット適用前）での色度の測定結果のデータ値を示す図である。この図は、各入力階調に対する輝度（Ｌｖ）及び色度（ｘ、ｙ）の測定データを示している。また、図６は、図５に示すデータ値を色度図（色温度図）上に表した図である。図５及び図６からわかるように、標準のＷＢ調整値（図３参照）で調整したオフセット適用前では、中間階調より上の階調で色温度が６５００Ｋよりも高い方（青色方向）へシフトしている（図６の符号ｆ１が示す部分参照）。
【００３５】
図７は、バックライト駆動電流を高輝度に制御したときに、標準のＷＢ調整値にオフセットを適用したとき（オフセット適用後）の色度の測定結果のデータ値を示す図である。この図は、図５と同様に各入力階調に対する輝度（Ｌｖ）及び色度（ｘ、ｙ）の測定データを示している。また、図８は、図７に示すデータ値を色度図（色温度図）上に表した図である。図７及び図８からわかるように、標準のＷＢ調整値（図３参照）に対してオフセット値（図４参照）の分補正したオフセット適用後では、中間階調より上の階調での色温度のシフトが抑えられており、中間階調より上の階調でも色温度が６５００Ｋの方へ補正されている（図８の符号ｆ２が示す部分参照）。
【００３６】
次に、図１０を参照して、表示装置１の制御部２３が実行するバックライト駆動電流及びＷＢ調整制御処理の動作について説明する。図１０は、本実施形態に係るバックライト駆動電流及びＷＢ調整制御処理の一例を示すフローチャートである。
【００３７】
（ステップＳ１０１）制御部２３は、高コントラスト表示モードに設定されているか否かを判定する。高コントラスト表示モードに設定されている判定された場合（ＹＥＳ）、表示装置１は、ステップＳ１０３の処理に進む。一方、高コントラスト表示モードに設定されていないと判定された場合（ＮＯ）、表示装置１は、ステップＳ１０５の処理に進む。
【００３８】
（ステップＳ１０３）高コントラスト表示モードでないため（即ち、通常の表示モードであるため）、制御部２３は、通常輝度にバックライト駆動電流を設定する。そして、ステップＳ１１１の処理に進む。
【００３９】
（ステップＳ１０５）高コントラスト表示モードであるため、制御部２３は、ローカルディミング処理を実行する。例えば、制御部２３は、表示画面を複数に分割した領域（分割領域）ごとに、映像信号に応じてバックライト駆動電流を設定する。そして、ステップＳ１０７の処理に進む。
【００４０】
（ステップＳ１０７）制御部２３は、分割領域ごとに、バックライト駆動電流を高輝度に設定したか否かを判定する。そして、制御部２３は、バックライト駆動電流を高輝度に設定したと判定した場合（ＹＥＳ）、ステップＳ１０９の処理に進む。一方、制御部２３は、バックライト駆動電流を高輝度に設定していないと判定した場合（ＮＯ）、ステップＳ１１１の処理に進む。
【００４１】
（ステップＳ１０９）バックライト駆動電流が高輝度に設定されたため、制御部２３は、標準のＷＢ調整値からオフセットした調整値に基づいて映像信号に対するＷＢを制御する。具体的には、制御部２３は、高輝度と設定された分割領域について、標準のＷＢ調整値からオフセットした調整値をガンマ／ＷＢ調整部１９に設定する。なお、制御部２３は、高輝度と設定されなかった、即ち、通常輝度と設定された分割領域については、標準のＷＢ調整値をガンマ／ＷＢ調整部１９に設定する。
【００４２】
（ステップＳ１１１）バックライト駆動電流が高輝度に設定されていないため、制御部２３は、標準のＷＢ調整値に基づいて映像信号に対するＷＢを制御する。具体的には、制御部２３は、標準のＷＢ調整値をガンマ／ＷＢ調整部１９に設定する。
【００４３】
以上説明したように、本実施形態に係る表示装置１は、映像を表示する表示部３１と、表示部３１を照明するバックライト３２（光源部の一例）と、表示部３１に表示させる映像の映像信号が入力される入力部１１とを備え、入力部１１に入力された映像信号に応じて、バックライト３２を駆動する駆動電流を設定し、当該駆動電流に応じて映像信号に対するＷＢを制御する。
【００４４】
これにより、表示装置１は、映像信号に応じてバックライト駆動電流を変更した場合、バックライト駆動電流に応じてＷＢ調整を制御できるため、映像に応じてバックライト駆動電流を変化させたときの表示品位（画質）を向上させることができる。
【００４５】
例えば、表示装置１は、表示部３１の表示画面を複数の領域に分割した領域ごとに、各領域に対応する映像信号に応じて、バックライト３２を駆動するバックライト駆動電流と映像信号に対するＷＢとを制御する。
【００４６】
これにより、表示装置１は、表示画面を分割した領域ごとにバックライト駆動電流と映像信号に対するＷＢとを制御できるため、ローカルディミング処理における映像の表示品位を向上させることができる。
【００４７】
例えば、表示装置１は、バックライト３２を駆動する駆動電流の制御を予め設定された通常輝度制御（第１の制御）と、通常輝度制御（第１の制御）よりもバックライト３２が発光する輝度が高い高輝度制御（第２の制御）とを切替え可能である。そして、表示装置１は、バックライト３２を駆動する駆動電流を通常輝度制御（第１の制御）とした場合には予め設定されたＷＢ調整値（標準のＷＢ調整値）に基づいて映像信号に対するＷＢを制御する。一方、表示装置１は、バックライト３２を駆動する駆動電流を高輝度制御（第２の制御）とした場合には予め設定されたＷＢ調整値を補正した値（オフセットした調整値）に基づいて映像信号に対するＷＢを制御する。
【００４８】
これにより、表示装置１は、バックライト３２を通常輝度から高輝度に変更したときの色温度のずれを補正することができる。
【００４９】
なお、本実施形態では、バックライト駆動電流を高輝度制御したときにＷＢ調整値を補正する例を説明したが、これに限られるものではない。例えば、バックライト駆動電流を高輝度に制御したときのＷＢ調整値を標準のＷＢ調整値として予め設定しておき、バックライト駆動電流を通常輝度に制御したときにＷＢ調整値を補正してもよい。また、バックライト駆動電流を高輝度に制御したときのＷＢ調整値とバックライト駆動電流を通常輝度（或いは低輝度）に制御したときのＷＢ調整値とのそれぞれが予め設定されていてもよい。
【００５０】
また、表示装置１は、予め設定されたＷＢ調整値（標準のＷＢ調整値）を補正した値（オフセットした調整値）に基づいて映像信号に対するＷＢを制御する場合、予め設定された階調以上の映像信号に対して補正してもよい。
【００５１】
これにより、表示装置１は、色温度（色味）のずれが顕著となる中間階調より上の階調に対してＷＢのオフセットを行うことで、適切に色温度（色味）のずれを抑制することができる。
【００５２】
また、表示装置１は、映像信号の階調値に基づいて、バックライト３２を駆動する駆動電流と映像信号に対するＷＢとを制御してもよい。
【００５３】
これにより、表示装置１は、暗部の領域のバックライト輝度を下げ、明部の領域のバックライト輝度を上げることで、高コントラスト表示させることができるとともに、バックライト輝度が変化しても適切にＷＢ調整することができ、映像の表示品位を向上させることができる。
【００５４】
また、表示装置１は、映像信号の階調値の分布に基づいて、バックライト３２を駆動する駆動電流と映像信号に対するＷＢとを制御してもよい。
【００５５】
これにより、表示装置１は、全体的に暗く、且つ一部の領域に高階調のピークがあるような映像のときに、バックライトの最大輝度が最も高い輝度になるように制御することで、高コントラスト表示が適した映像に対して高コントラスト表示を行うことができる。
また、表示装置１は、全体的に明るい映像では、高階調の領域であってもバックライト輝度の上昇を抑制することにより、まぶしく感じてしまうことが無いようにできるため、高コントラスト表示が適さない映像に対しては高コントラスト表示を行わないようにすることができる。
【００５６】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００５７】
例えば、バックライト駆動電流（バックライト輝度）を複数の値に変化させる場合、それぞれの値に応じて複数のオフセット値が設定されてもよい。また、通常輝度より高輝度のバックライト駆動電流に制御する場合でも、予め設定されたバックライト駆動電流（バックライト輝度）の値以上の場合に、バックライト駆動電流（バックライト輝度）に応じたオフセット値が設定され、予め設定されたバックライト駆動電流（バックライト輝度）の値未満の場合には、オフセット値が設定されていなくてもよい。即ち、予め設定されたバックライト駆動電流（バックライト輝度）の値以上の場合のみＷＢ調整を補正する構成としてもよい。
【００５８】
また、上記実施形態では、ローカルディミング処理において表示画面を複数に分割した分割領域ごとに、映像信号に応じてバックライト駆動電流を設定し、当該バックライト駆動電流に応じてＷＢを制御する例を説明したが、少なくともいずれか一以上の分割領域においてバックライト駆動電流が高輝度に設定された場合に、表示画面全体の領域に対して一律にＷＢを制御（例えば、標準のＷＢ調整値からオフセット）してもよい。また、ローカルディミング処理に限定されるものではない。例えば、表示画面全体の領域に対して、映像信号に応じてバックライト駆動電流を設定し、当該バックライト駆動電流に応じてＷＢを制御する構成としてもよい。
【００５９】
なお、上述した実施形態における表示装置１の一部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、表示装置１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６０】
また、表示装置１の一部又は全部を、ＬＳＩ（Ｌａｒｇｅ  Ｓｃａｌｅ  Ｉｎｔｅｇｒａｔｉｏｎ）等の集積回路として実現してもよい。また、本実施形態の表示装置１内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００６１】
また、上記実施形態では、表示部３１及びバックライト３２を備えた表示装置１の構成例を説明したが、表示部３１及びバックライト３２が備えられていない表示制御装置として構成としてもよい。例えば、表示制御装置は、外部の表示装置と接続可能であり、入力された映像信号に応じて、外部の表示装置が備えるバックライトを駆動する駆動電流を設定し、当該駆動電流に応じて映像信号に対するＷＢを制御した映像信号を外部の表示装置に出力してもよい。
【符号の説明】
【００６２】
１  表示装置、１０  信号処理部、１１  入力部、１２  マトリックス部、１３  ＮＲ部、１４  ＩＰ変換部、１５  スケーラー部、１６  シャープネス部、１７  ＭＥＭＣ部、１８  マトリックス部、１９  ガンマ／ＷＢ調整部、２１  タイミングコントローラ部、２２  ＬＥＤドライバ、２３  制御部、３１  表示部、３２  バックライト
【図１】
2019211717.tif 000003
【図２】
2019211717.tif 000004
【図３】
2019211717.tif 000005
【図４】
2019211717.tif 000006
【図５】
2019211717.tif 000007
【図６】
2019211717.tif 000008
【図７】
2019211717.tif 000009
【図８】
2019211717.tif 000010
【図９】
2019211717.tif 000011
【図１０】
2019211717.tif 000012